(57)【要約】【課題】  デザイン的に自由度を有しており、組み立て効率の良い、作動電源用電池の交換が可能な超音波作動歯ブラシを提供する。【解決手段】  本体ケースは、長手軸方向の中央部が太く、両端に細まる外形を有し、最も太い部分において本体ケース上部と、本体ケース下部とに分割されており、本体ケース下部には、ねじによる連結時の回り止めの止めねじ用のバカ孔及び発生ガス放出のための貫通小孔を有し、本体ケース上部には、傾斜し且つ先端部に超音波振動発信デバイスを内挿した歯ブラシヘッド連結部と、回り止め用の止めねじ孔と、カバー連続部分と、スイッチボタンとを有して、さらに、本体ケース上部と下部とを連結後、回り止めした止めねじ頭部と貫通小孔とを覆うカバーを備えた超音波作動歯ブラシ。【選択図】        図３
0003103580.tif 000002
【実用新案登録請求の範囲】
【請求項１】
歯ブラシヘッドと、ニッケル水素電池および超音波発生装置を内蔵する本体ケースとよりなる超音波作動歯ブラシにおいて、
前記本体ケースは、本体ケース上部と、該本体ケース上部とからなり、該本体ケース上部と、該本体ケース上部とをねじ部により連結組み合わせた時に、回り止め用止めねじおよびそれに直列して明けられた前記電池による発生ガス放出のための貫通小孔上に設けられたガス透過膜を覆い隠す、取り外し自在のカバーを備えたことを特徴とする超音波作動歯ブラシ。
【請求項２】
前記カバーは、外形面が、超音波作動歯ブラシのころがりを防止するために平面で構成されていることを特徴とする請求項１に記載の超音波作動歯ブラシ。  
【請求項３】
前記ねじ部の連結組み合わせが、前記本体ケース上部に設けられた雄ねじ部と前記本体ケース下部に設けられた雌ねじ部とにより、Ｏリングを介して行われることを特徴とする請求項１または２に記載の超音波作動歯ブラシ。
【請求項４】
前記本体ケースは、長手軸方向の中央部において太く、両端に向かって細まる外形を有し、且つ最も太い部分において本体ケース上部と本体ケース下部とが連結組み合わせられていることを特徴とする請求項１乃至３のいずれか１項に記載の超音波作動歯ブラシ。
【請求項５】
前記超音波発生装置は、振動方向および振幅が可変であることを特徴とする請求項１乃至４のいずれかに記載の超音波作動歯ブラシ。
【考案の詳細な説明】
【技術分野】
【０００１】
本考案は、超音波にて作動する電動歯ブラシに関するものである。
【背景技術】
【０００２】
過去歯磨き用の歯ブラシに関しては、手動型の歯ブラシが永年その簡便さで使用されてきた。しかし近年、歯周病対策のための歯ブラシとしてより効率良く歯を磨くために、回転型や往復動型等、電動型の歯ブラシが多く見受けられるようになった。（例えば、特許文献１参照）
これら回転型や往復動型の歯ブラシにおいては、回転型ブラシでは回転する外側部の影響や、往復動型ブラシでは比較的振幅が大きく磨きづらいなど使用上必ずしも快適とは言い難いものであった。これに対しブラシに超音波振動を与える超音波作動歯ブラシは、磨き心地も良くこれからの主流になるものと予想される。
【特許文献１】特開２００２−１９１６２６号公報
【考案の開示】
【考案が解決しようとする課題】
【０００３】
従来、超音波作動歯ブラシでは、作動電源用電池や超音波発生装置は上型、下型で構成された歯ブラシ本体の内に圧入固定、乃至マウンティングされ、且つ上型、下型本体は接着により固定されるものが一般的であった。この場合、作動電源用電池を必要により交換したくても交換できず、歯ブラシ本体全体を新品に交換しなければならず、従って電池交換時が、即、歯ブラシ全ての寿命とならざるを得ないという不経済性を有していた。
【０００４】
また、作動電源用電池や電動装置を交換可能にされた電動歯ブラシも無いこともないが、一般にこれら電池および電動装置は、歯ブラシ本体の下部（底部）より一方向に挿入、抜き出す構造となっている。このため歯ブラシ本体の形状は、金型成形上の抜き勾配の点から下部（底部）に向かって太くなるように限定され、デザイン的に極めて制限されるものであった。
【０００５】
本考案は上記に鑑み、デザイン的に自由度を有しており、組み立ての効率の良い、作動電源用電池が交換可能な超音波作動歯ブラシを提供することを目的としている。
【課題を解決するための手段】
【０００６】
本考案の超音波作動歯ブラシは、
１）歯ブラシヘッドと、ニッケル水素電池および超音波発生装置を内蔵する本体ケースとよりなる超音波作動歯ブラシにおいて、前記本体ケースは、本体ケース上部と、該本体ケース上部とからなり、該本体ケース上部と、該本体ケース上部とをねじ部により連結組み合わせた時に、回り止め用止めねじおよびそれに直列して明けられた前記電池による発生ガス放出のための貫通小孔上に設けられたガス透過膜を覆い隠す、取り外し自在のカバーを備えたものであり、
２）上述１）において、前記カバーを、その外形面が、超音波作動歯ブラシのころがりを防止するために平面で構成したものであり、
３）上述１）または２）において、前記ねじ部の連結組み合わせを、前記本体ケース上部に設けられた雄ねじ部と前記本体ケース下部に設けられた雌ねじ部とにより、Ｏリングを介して行うものであり、
４）上述１）〜３）において、前記本体ケースを、長手軸方向の中央部において太く、両端に向かって細まる外形とし、且つ最も太い部分において本体ケース上部と本体ケース下部とを連結組み合わせるようにしたものであり、
５）上述１）〜４）において、前記超音波発生装置を、振動方向および振幅が可変としたものである。
【考案の効果】
【０００７】
本考案の構造により、商品価値的にも重要な歯ブラシ本体のデザインにとって、好ましい自由度をもち、且つ、作動電源用電池の交換が容易に交換可能であり、さらに組み立て効率の良い超音波作動歯ブラシを提供することができる。
【考案を実施するための最良の形態】
【０００８】
本考案の主旨の１は、歯ブラシ本体ケースの背面に設けられた、外形面が平らなカバーにより、歯ブラシのコロガリの防止や、歯ブラシを置く場合におけるブラシ部を地に着けることなく安定に保持し得ること、また、主旨の２は、歯ブラシ本体ケースのデザインに自由度があることであり、この種の歯ブラシの好ましい形状、即ち、握り部分が太く安定して握れること、且つ美的感覚にすぐれた形状を形成することが可能となることである。
この歯ブラシ本体ケースの外形状の特徴は、成形時における金型からの抜け勾配の点から、本体ケースを本体ケース上部と本体ケース下部とに分割することに因るものである。  また、このことは同時に、本体ケースに内挿されている作動電源用電池及び超音波発生装置の取り出し、挿入をこの分割部より行うことができ、また、従来の底部からの一方的な出し入れの場合と異なり電気接続等の作業性も確実容易となる。
【０００９】
図１は、本考案の１実施例の外観説明図であり、（ａ）は背面図、（ｂ）は底面図である。
図２は、図１よりカバーを取り外した状態を示す背面参考図である。
図３は、図１の本体ケース上部及び下部を分離した状態を示す説明図である。但し内部構造およびブラシ部は省略されている。
図において、１は超音波作動歯ブラシ、２は歯ブラシヘッド、３は本体ケース上部、３１は雄ねじ部、３２は止めねじ孔、３３はカバー連続部分、４は本体ケース下部、４１は雌ねじ部、４２はガス抜き貫通孔、４３は止めねじバカ孔、５はカバー、６は止めねじ、７はガス透過膜、、８はＯリング、９はスイッチである。
【００１０】
本考案の構造を、以下図面を参照して説明する。
本考案の超音波作動歯ブラシ１は、所定の植毛を施こされた歯ブラシヘッド２、および本体ケース上部３、本体ケース下部４よりなる、作動用電池、超音波発生装置（図示されていない）を内挿する本体ケースで構成されている。
歯ブラシヘッド２は、通常の歯ブラシヘッドと同様に、前面に剛毛束を整列植毛され、下部は超音波振動を伝達する振動伝達部を備えている。該歯ブラシヘッド２は、超音波発信デバイス（図示されていない）を介して、本体ケース上部３の先端部に取り付けられている。
【００１１】
前記本体ケースは、本体ケース上部３、本体ケース下部４に分割されており、これらは本体ケース上部３に設けられた雄ねじ部３１と本体ケース下部４に設けられた雌なじ部４１により接合される。この接合時にはＯリング８を介し、また回り止めねじ６により回動緩みを防止する。また本体ケース下部４に設けられた、電源用のニッケル水素電池より発生するガスを外部に逃がすためのガス抜き貫通孔４２にはガス透過膜７を被せる。このガス抜き貫通孔４２と回り止めねじ６を遮蔽するためのカバー５を被せる。該カバー７は歯ブラシ１のコロガリを防止するために外側面は平坦な面で形成されている。
【００１２】
また、本体ケース上部３には、前記カバー５の外形状と連続する外形状を有するカバー連続部分３３が設けられており、連続した楕円形として美観を補っている。
さらに、本体ケース上部３には、握った手の親指により操作可能なＯＮ／ＯＦＦ用のスイッチ９が設けられている。このスイッチ９は、超音波振動の振幅および振動方向を切り換えるための切り換えスイッチとしても使用することも可能である。
【００１３】
本体ケース上部３の歯ブラシヘッドと連接する細首部分はブラシ方向に所定角度傾いた形状を有しており、歯磨き動作の円滑化が図れるようになっている。
所定角度は３〜１５°程度が好ましい。また、児童用には比較的大きな角度とし、大人用では比較的小さな角度とすることが望ましい。
また、本体ケースの材料は、成形性がよく弾性に富むプラスチックであれば、如何なる材料でも使用可能である。ポリプロピレン、ポリスチレン、ＡＳ樹脂等が使用できる。
さらに、材料に発光手段を併用して作動時に部分的または全体をイルミネートさせることも可能である。
【００１４】
本願考案のの本体ケースは、中太で握り易い特徴を有するが、さらにその断面を、通常の楕円形断面の他の断面形状にすることもできる。掌部への当接部分を比較的平坦な面とし、指との当接部分を指とフィットする円弧曲面とするなどにより美観を損なわない範囲で握り易さを付加することもできる。
【図面の簡単な説明】
【００１５】
【図１】本考案の１実施例の外観説明図であり、（ａ）は背面図、（ｂ）は底面図である。
【図２】図１よりカバーを取り外した状態を示す背面参考図である。
【図３】図１の本体ケース上部及び下部を分離した状態を示す説明図である。
【符号の説明】
【００１６】
１  超音波作動歯ブラシ
２  歯ブラシヘッド
３  本体ケース上部
３１  雄ねじ部
３２  止めねじ孔
３３  カバー連続部分
４  本体ケース下部
４１  雌ねじ部
４２  ガス抜き貫通孔
４３  止めねじバカ孔
５  カバー
６  止めねじ
７  ガス透過膜
８  Ｏリング
９  スイッチ
【図１】
0003103580.tif 000003
【図２】
0003103580.tif 000004
【図３】
0003103580.tif 000005